(57)【要約】【課題】シートを搬送するための搬送ベルト、特にエンドレスの吸込ベルトであって、搬送ベルトが、駆動可能に少なくとも２つの変向ローラを介して変向されるようになっており、かつ搬送台にわたってガイドされている形式のものを改良して、シートのマーキングの原因となる傾斜付けが防止されるか、少なくとも減少されたものを提供する。【解決手段】搬送ベルト２９が、側方の縁部を備えており、縁部が、高い粗さもしくは縁構造を有している。【選択図】図２
2006089287.tif 000002
【特許請求の範囲】
【請求項１】
シートを搬送するための搬送ベルト、特にエンドレスの吸込ベルトであって、
該搬送ベルトが、駆動可能に少なくとも２つの変向ローラを介して変向されるようになっており、かつ搬送台にわたってガイドされている形式のものにおいて、
搬送ベルト（２９）が、側方の縁部（３４，３６）を備えており、縁部（３４，３６）が、高い粗さもしくは縁構造を有していることを特徴とする、シートを搬送するための搬送ベルト。
【請求項２】
粗さＲＺ＞１ミリメートルである、請求項１記載の搬送ベルト。
【請求項３】
縁構造が、ジグザグ形状で形成されている、請求項１記載の搬送ベルト。
【請求項４】
縁構造が、正弦波形状で形成されている、請求項１記載の搬送ベルト。
【請求項５】
縁構造が、凹凸形状で形成されている、請求項１記載の搬送ベルト。
【請求項６】
縁構造が、鋸歯形状で形成されている、請求項１記載の搬送ベルト。
【請求項７】
縁構造が、蛇行形状で形成されている、請求項１記載の搬送ベルト。
【請求項８】
縁部（３４，３６）が、面取部（３７）または丸み部（３８）を有している、請求項１記載の搬送ベルト。
【請求項９】
シートを処理する機械にシートを搬送する搬送台であって、吸込ボックスにわたってガイドされた、吸込ベルトとして形成されたエンドレスの少なくとも１つの搬送ベルトが設けられており、該搬送ベルトが、少なくとも２つの変向ローラを介して変向されるようになっている形式のものにおいて、
搬送ベルトが、請求項１から８までのいずれか１項記載の構成を有して形成されていることを特徴とする、シートを処理する機械にシートを搬送する搬送台。
【発明の詳細な説明】
【技術分野】
【０００１】
本発明は、シートを搬送するための搬送ベルト、特にエンドレスの吸込ベルトであって、搬送ベルトが、駆動可能に少なくとも２つの変向ローラを介して変向されるようになっており、かつ搬送台にわたってガイドされている形式のもの形式のものに関する。
【背景技術】
【０００２】
このような形式の搬送ベルトは、たとえばドイツ連邦共和国特許出願公開第４４１６２８６号明細書によって公知である。ここでは変向ローラが、前縁で方向調整しようとするシートのずれ重なり領域に配置されている。これによって変向の際に、正確な許容誤差で製作された、搬送ベルトの側部または縁部は簡単に立ち上がる傾向にあり、これによって側部または縁部はシートの下面にマーキングを残すようになる。特に下面でコーティングされているか既に印刷の施されたシートでは、搬送ベルトのマーキングによって、品質低下や最悪の場合損紙が生じるようになる。
【特許文献１】ドイツ連邦共和国特許出願公開第４４１６２８６号明細書
【発明の開示】
【発明が解決しようとする課題】
【０００３】
したがって本発明の課題は、冒頭で述べた形式の搬送ベルトを改良して、シートのマーキングの原因となる傾きが防止されるか、少なくとも減少されたものを提供することである。
【課題を解決するための手段】
【０００４】
この課題を解決するための本発明の装置によれば、搬送ベルトが、側方の縁部を備えており、縁部が、高い粗さもしくは縁構造を有している。
【発明の効果】
【０００５】
本発明の格別な利点によれば、搬送ベルトの縁部が、シートに向いた領域で、高い粗さもしくは実質的に規定された縁構造を有している。このような構成手段によって、シートの下面における搬送ベルトによるマーキングが回避される。特に搬送ベルトの縁部は、ジグザグ形状、正弦波形状、不規則な形状、凹凸形状、鋸歯形状または蛇行形状に形成することができる。選択的に、面取部または丸み部によって縁部を滑らかにすることが提案される。
【発明を実施するための最良の形態】
【０００６】
次に本発明の実施の形態を、図示の実施例を用いて詳しく説明する。
【０００７】
シート７を処理する機械、たとえば印刷機１は、給紙装置２と少なくとも１つの印刷装置３；４と排紙装置６とを備えている。シート７は、シートスタック（積紙）８から取り出されて個別化されるかまたはうろこ状にずれ重ねられて給紙台９を介して印刷装置３；４に供給される。印刷装置３；４は、公知の形式でそれぞれ版胴１１；１２を備えている。版胴１１，１２は、フレキシブルな刷版を固定するための装置１３；１４を備えている。さらに各版胴１１；１２に、半自動式または全自動式の刷版交換のための装置１６；１７が対応配置されている。
【０００８】
シートスタック８は、昇降制御可能なスタックプレート１０に載設されている。シート７の取り出しは、いわゆる吸込ヘッド１８を用いて、シートスタック８の上面から行われ、吸込ヘッド１８は、シート７を個別化するための、とりわけ幾つかの昇降サッカ１９および送りサッカ２１を備えている。さらに上位のシート層をほぐすための吹出装置２２およびスタック後ガイドのための接触エレメント２３が設けられている。シートスタック８、特にシートスタック８の上位のシート７を方向調整するために、幾つかの側方および後方のストッパ２４が設けられている。
【０００９】
印刷機に向いた前方部分で送られるシート７は、前当て２６によってシート搬送方向で方向調整され、側方の方向調整手段２７によってシート搬送方向に対して横方向で方向調整される。この場合シートと搬送ベルト２９との間で、既に述べた不都合なマーキングを生じさせる恐れのある相対運動が生じる。このような相対運動は、たとえばシートが存在する後続搬送装置によって搬送ベルト２９よりも迅速に移動される場合にも生じ得る。給紙台９は、図２に示した実施例では、吸込源２８に対する接続を有する吸込ベルト台として形成されている。給紙台９は、少なくとも１つのエンドレスの搬送ベルト２９によって包囲されており、搬送ベルト２９は、前方領域で、第１の変向ローラ３１に、また給紙スタック８に向いた側の領域で、被駆動式の第２の変向ローラ３２に巻き掛けられている。第１の変向ローラ３１は、前当て２６から間隔ａを有して配置されていて、かつずれ長さ（Schuppenlaenge）Ｓの領域に設けられている。搬送ベルト２９は、吸込開口を備えており、吸込開口は、搬送しようとするシートに、吸込源２８と吸込ボックス３３とによって形成される吸込作用を及ぼす。搬送ベルト２９は、側方の縁部３４，３６を備えており、縁部３４，３６は粗い構造または粗さＲＺ＞１ミリメートルを有している。この場合縁部３４，３６は、（狭い範囲の許容誤差で）非直線的に形成されていることが重要である。有利な縁構造は、図３〜図１０に示した。
【００１０】
図３には、粗さＲＺ＞１ミリメートルを有する、不規則に形成された縁部３４，３６を示した。
【００１１】
搬送ベルト２９の縁部３４，３６に関して、図４にはジグザグ形状を示し、図５には正弦波形状を示し、図６には凹凸形状を示し、図７には鋸歯形状を示し、また図８には蛇行形状（Maeanderform；メアンダ形状）を示した。選択的な別の実施例では、搬送ベルト２９の縁部３４，３６は、面取部３７または丸み部３８を備えることができる。
【図面の簡単な説明】
【００１２】
【図１】輪転印刷機を示す概略図である。
【図２】給紙台を示す概略に示す断面図である。
【図３】搬送ベルトを示す平面図である。
【図４】選択的な搬送ベルトの１実施例を示す平面図である。
【図５】選択的な搬送ベルトの１実施例を示す平面図である。
【図６】選択的な搬送ベルトの１実施例を示す平面図である。
【図７】選択的な搬送ベルトの１実施例を示す平面図である。
【図８】選択的な搬送ベルトの１実施例を示す平面図である。
【図９】面取部を備えた搬送ベルトを示す図である。
【図１０】丸み部を備えた搬送ベルトを示す図である。
【符号の説明】
【００１３】
１  印刷機、  ２  給紙装置、  ３，４  印刷機、  ６  排紙装置、  ７  シート、  ８  シートスタック、  ９  給紙台、  １０  スタックプレート、  １１，１２  版胴、  １３，１４  刷版固定装置、  １６，１７  版板交換装置、  １８  吸込ヘッド、  １９  昇降サッカ、  ２１  送りサッカ、  ２３  接触エレメント、  ２４  ストッパ、  ２６  前当て、  ２７  方向調整手段、  ２８  吸込源、  ２９  搬送ベルト、  ３１，３２  変向ローラ、  ３３  吸込ボックス、  ３４，３６  縁部、  ａ  間隔、  Ｓ  非重畳長さ
【図１】
2006089287.tif 000003
【図２】
2006089287.tif 000004
【図３】
2006089287.tif 000005
【図４】
2006089287.tif 000006
【図５】
2006089287.tif 000007
【図６】
2006089287.tif 000008
【図７】
2006089287.tif 000009
【図８】
2006089287.tif 000010
【図９】
2006089287.tif 000011
【図１０】
2006089287.tif 000012